(57)【特許請求の範囲】
【請求項１】
材料板を絞り加工して９０度よりも小さい曲げ角で曲げて形成された板金部品により表示部材を保持するための保持構造であって、
前記板金部品は、前記表示部材が該板金部品から外れないように保持するための嵌合凹部に嵌合する嵌合部を備え、
前記嵌合部は、前記材料板を絞り加工によらず、前記絞り加工による曲げ角以上の略９０度に曲げて形成され、
該材料板の当該曲げられた先端が前記嵌合凹部と当接するように前記表示部材の平面方向に略垂直な方向を向くよう配設された
ことを特徴とする板金部品による保持構造。
【請求項２】
前記材料板は、絞り加工による９０度曲げ形成時に割れが生じ得る硬度であり、
前記嵌合部は、曲げ加工により、前記絞り加工による曲げ角以上の略９０度に曲げて形成されたことを特徴とする請求項１記載の板金部品による保持構造。
【請求項３】
前記板金部品はバスタブ状に加工され、該バスタブ状の内側は、前記材料板を絞り形成することにより割れが生じない略４５度に曲げられたことを特徴とする請求項１または２記載の板金部品による保持構造。
【請求項４】
前記曲げられた先端が前記嵌合凹部に嵌合されることにより、前記表示部材が前記板金部品に保持されることを特徴とする請求項１から３の何れか１項に記載の板金部品による保持構造。
【請求項５】
前記表示部材は、前記嵌合凹部を備えた固定フレームに固定され、該固定フレームの前記嵌合凹部が前記嵌合部と嵌合することにより前記板金部品に保持されることを特徴とする請求項１から４の何れか１項に記載の板金部品による保持構造。
【請求項６】
請求項１から５の何れか１項に記載の板金部品による保持構造により表示部材を保持するよう構成されたことを特徴とする携帯機器。
【発明の詳細な説明】
【技術分野】
【０００１】
本発明は、例えば携帯電話機など、薄型化を求められる装置における板金部品による保持構造および携帯機器に関する。
【背景技術】
【０００２】
近年、携帯機器の薄型化が進み、強度（剛性）確保の面からバスタブ状の板金部品による筐体を採用することが多くなっている。
こうした板金筐体を用いる場合、携帯機器の更なる薄型化に伴い、強度確保面から、材料をより硬いものとして剛性を高くする必要が発生している。
【０００３】
また、本発明の関連技術である板金部品の成形部品への取付け構造として、板金部品の先端に、係止片の係止面に係止する係止部を形成し、さらにその係止部の先端に、成形部品に形成された爪とほぼ平行な押圧部を形成したものがある（例えば、特許文献１参照）。
【０００４】
また、本発明の関連技術として、枠状のケース本体に、表示パネルおよび回路基板を板金製の上ケースおよび下ケースによって押さえ付けて取り付けることで、ケース本体にネジボスを設ける必要をなくし、装置の薄型化を図るものがある（例えば、特許文献２参照）。
【特許文献１】実開平３−５３６０８号公報
【特許文献２】特開２０００−２２３８５８号公報
【発明の開示】
【発明が解決しようとする課題】
【０００５】
しかしながら、上述のように板金（材料板）をより硬いものにすると、絞り加工で板金（材料板）を９０度のバスタブ状に加工することは、曲げ時の割れ等の問題から困難となり、絞り角度は４５度にせざるを得なくなってくる。
このため、表示部材を保持する部分についても、保持するための強度を確保しきれなくなる虞があった。
【０００６】
また、上述した特許文献１のものは、成形部品の爪とほぼ平行に板金部品を取り付け、板金部品が成形部品から爪の方向に抜けにくくするものであり、板金部品で表示部材を確実な強度で保持し、表示部材がその平面方向に垂直な方向へ外れてしまわないようにすることについてまで考慮されたものではなかった。
【０００７】
また、上述した特許文献２のものは、ケース本体に上カバーを押さえ付けた状態でネジによって取り付けるものであり、板金部品で表示部材を確実に保持することについてまで考慮されたものではなかった。
【０００８】
本発明はこのような状況に鑑みてなされたものであり、表示部材が板金部品から外れてしまうことのないよう、板金部品により確実な強度で保持することができる板金部品による保持構造および携帯機器を提供することを目的とする。
【課題を解決するための手段】
【０００９】
かかる目的を達成するために、本発明に係る板金部品による保持構造は、材料板を絞り加工して９０度よりも小さく曲げて形成された板金部品により表示部材を保持するための保持構造であって、板金部品は表示部材が板金部品から外れないように保持するための嵌合凹部に嵌合する嵌合部を備え、嵌合部は材料板を絞り加工によらず略９０度に曲げて形成され、材料板の曲げられた先端が表示部材の平面方向に略垂直な方向を向くよう配設され、嵌合凹部と当接している。
【００１０】
また、本発明に係る携帯機器は、前述の板金部品による保持構造により表示部材を保持するよう構成されている。
【発明の効果】
【００１１】
以上のように、本発明によれば、表示部材が板金部品から外れてしまうことのないよう、板金部品により確実な強度で保持することができる。
【発明を実施するための最良の形態】
【００１２】
次に、本発明に係る板金部品による保持構造および携帯機器を適用した一実施形態について、図面を用いて詳細に説明する。
まず、本実施形態の概略について説明する。
【００１３】
本実施形態は、薄型携帯機器に用いられるフロントケース（板金部品）に嵌合するＬＣＤ固定フレームへの嵌合爪形状を９０度に曲げたものとすることで、例えば落下等の衝撃があった場合でも嵌合爪を外れ難くしたものである。
このことにより、落下等の衝撃に対しても強固にＬＣＤ（Liquid Crystal Display）を保持することができ、爪脱落等によるガラス割れを防ぐことができる表示部固定構造を提供する。
【００１４】
次に、本実施形態の構成について説明する。
本実施形態としての薄型携帯機器における表示部筐体は、図１に示すように、ＬＣＤ１と、ＬＣＤ固定フレーム２と、フロントケース３とを備えて構成される。
ＬＣＤ１は不図示の両面テープによりＬＣＤ固定フレーム２に固定され、こうしてＬＣＤ１が固定されたＬＣＤ固定フレーム２が、バスタブ状に加工されたフロントケース３の上に装着され、嵌合爪（嵌合部）３１により固定される。
【００１５】
図２に示す本実施形態としての薄型携帯機器の表示部筐体におけるＡ−Ａ断面、Ｂ−Ｂ断面を図３［１］、図３［２］に示す。
図３［１］、［２］に示すように、ＬＣＤ１が固定されたＬＣＤ固定フレーム２は、バスタブ状のフロントケース３の内側に装着される。このＬＣＤ固定フレーム２は、フロントケース３に装着された際の嵌合爪３１に対応する位置に嵌合凹部２１を備え、この嵌合凹部２１にフロントケース３の嵌合爪３１先端部が嵌合する。
このことにより、ＬＣＤ１およびＬＣＤ固定フレーム２が、フロントケース３から外れないように保持されることとなる。
【００１６】
嵌合爪３１は、図３［２］に示すように、板金（材料板）を略９０度に曲げることで形成され、その曲げられた先端がＬＣＤ１の平面方向に略垂直な方向を向くよう配設されている。ＬＣＤ１が固定されたＬＣＤ固定フレーム２がフロントケース３に装着された際、その略９０度に曲げられた先端がＬＣＤ固定フレーム２の嵌合凹部２１に嵌合することにより、例えば落下等による大きな衝撃が加わった場合であってもＬＣＤ１がその平面方向に略垂直な方向へ外れてしまうことなく、板金部品であるフロントケース３で確実に保持することができる。
【００１７】
本実施形態では、薄型化による強度確保のため、板金筐体に用いられる材料板として、例えばＳＵＳ３０１−Ｈ材など、従来使用されていたＳＵＳ４３０、ＳＵＳ３０４等よりも硬い板金を使用している。
【００１８】
この板金で、浅いバスタブ状の絞り（例えば１ｍｍ程度）、小さい反りバラツキ管理幅（例えば０．０３ｍｍ程度）の制約を設けた場合に、９０度に曲げるよう絞り加工することは加工上の観点から難しい。すなわち、平坦度が安定しない、絞り時に割れる等の問題を引き起こす虞がある。
このため、フロントケース３のバスタブ状の内側は、板金を絞り形成することにより略４５度に曲げる加工をしている。
【００１９】
このように、本実施形態の板金筐体では、絞り加工による９０度曲げ形成が困難な硬度である板金を材料板として用いているが、嵌合爪３１については、上述のように略９０度に曲げた形状とすることがＬＣＤ１の確実な保持のために有利であるため、曲げ加工により略９０度に曲げて形成している。
【００２０】
仮に、絞り加工により嵌合爪を形成する場合、図３［３］に示すように、板金の嵌合爪５１も同様に４５度になる。嵌合爪５１が４５度であることで、ＬＣＤ固定フレーム２が嵌合爪５１から外れ易くなり、落下等の衝撃によりＬＣＤ等が割れることが懸念される。
【００２１】
本実施形態では、バスタブ状の板金の材料を硬度アップして剛性を上げているが、図３［２］に示すように、嵌合爪３１については曲げ加工により９０度に曲げて形成している。このことにより、嵌合爪３１が嵌合凹部２１から外れ難くなり、落下等の衝撃が加わった場合であっても強固にＬＣＤ１を保持することができ、爪脱落等によるガラス割れを防ぐことができる。
【００２２】
以上のように、上述した実施形態では、薄型携帯機器における板金筐体について、４５度に絞ったバスタブ状であっても、ＬＣＤ固定フレーム２の嵌合凹部２１に嵌合させる嵌合爪３１を、曲げ加工により９０度曲げするようにしている。
このため、ＬＣＤ固定フレーム２の固定をより強固にすることが可能となり、例えば落下等の衝撃が加わった場合であっても、ＬＣＤ１がその平面方向に垂直な方向へ外れてしまわないよう、確実な強度で保持することができる。
【００２３】
また、上述した実施形態の保持構造によりＬＣＤ１を保持するよう構成された携帯機器の構成例を、図４に示す。
こうした携帯機器（例えば携帯電話機）によれば、ＬＣＤ１が確実な強度で保持されて外れにくく、落下等の衝撃に対しても高い安全性とすることができる。
【００２４】
なお、上述した各実施形態は本発明の好適な実施形態であり、本発明はこれに限定されることなく、本発明の技術的思想に基づいて種々変形して実施することが可能である。
例えば、上述した実施形態では、ＬＣＤをフロントケース３に固定することとして説明したが、ＬＣＤが破損することのないように板金部品で保持できればこのことに限定されず、例えば、ＬＣＤ固定フレーム２とフロントケース３との間に緩衝材を備えた構成などであってもよい。
【図面の簡単な説明】
【００２５】
【図１】本発明の実施形態としての携帯機器における表示部筐体を示す分解斜視図である。
【図２】該表示部筐体の平面図である。
【図３】［１］該表示部筐体の４５度絞り構造断面図、［２］該表示部筐体の嵌合爪３１部分の断面図、［３］従来加工方法による爪５１部分の断面図である。
【図４】本発明の実施形態としての携帯機器の構成例を示す図である。
【符号の説明】
【００２６】
１    ＬＣＤ（表示部材の一例）
２    ＬＣＤ固定フレーム
２１    嵌合凹部
３    フロントケース
３１    嵌合爪
【図１】
0005358940.tif 000002
【図２】
0005358940.tif 000003
【図３】
0005358940.tif 000004
【図４】
0005358940.tif 000005